(57)【要約】【課題】  消費電力を低減させた表示駆動装置、表示装置及び表示駆動装置の駆動制御方法を提供すること。【解決手段】  表示駆動装置は、表示パネルに対し、所定電圧を表示データの階調数に応じて複数に分圧された各電圧を複数の階調電圧として出力する階調アンプＡＭＰと、表示データの階調値に応じて、複数の階調電圧の何れかを選択して、複数の信号ラインの各々に印加する選択スイッチＳＷと、表示データの階調値と基準信号ＲＥＦの階調値とを比較する比較回路２６と、比較結果に応じて階調アンプＡＭＰの電流駆動能力の設定値を制御するアンプ電源制御回路２７１とを有する。【選択図】図３
2006126358.tif 000002
【特許請求の範囲】
【請求項１】
複数の走査ライン及び複数の信号ラインの各交点近傍にマトリクス状に配列された複数の表示画素を有する表示パネルの前記複数の信号ラインに、表示データに応じた階調電圧を出力する表示駆動装置において、
所定電圧を前記表示データの階調数に応じた複数の電圧に分圧し、分圧された各電圧を複数の階調電圧として出力する複数の階調アンプ回路と、
前記表示データの階調値に応じて前記複数の階調電圧のいずれかを選択し、前記複数の信号ラインの各々に出力する階調電圧選択手段と、
前記表示データの階調値に基づいて、前記複数の階調アンプ回路の動作状態を制御する階調アンプ制御手段と、
を備えることを特徴とする表示駆動装置。
【請求項２】
前記階調アンプ制御手段は、前記表示データの階調値と所定の基準階調値とを比較し、比較結果信号を出力する比較手段と、前記比較結果信号に基づいて、前記階調アンプ回路の電流駆動能力の設定値を変更制御する階調アンプ電源制御手段と、を備えることを特徴とする請求項１に記載の表示駆動装置。
【請求項３】
前記階調アンプ電源制御手段は、前記比較手段から出力される前記比較結果信号に基づいて、前記階調アンプ回路に供給するバイアス電流の値を変更制御する手段を備えることを特徴とする請求項２に記載の表示駆動装置。
【請求項４】
前記比較手段は、前記複数の信号ラインの各々に対する前記表示データの階調値と前記基準階調値とを比較する手段を備えることを特徴とする請求項２に記載の表示駆動装置。
【請求項５】
前記比較手段は、前記複数の信号ラインに対する前記表示データの階調値の合計値と前記基準階調値とを比較する手段を備えることを特徴とする請求項２に記載の表示駆動装置。
【請求項６】
前記比較手段は、前記複数の信号ラインの各々に対する前記表示データの階調値の平均値と前記基準階調値とを比較する手段を備えることを特徴とする請求項２に記載の表示駆動装置。
【請求項７】
前記階調アンプ制御手段は、前記複数の階調アンプ回路における、前記階調電圧選択手段により選択されない階調電圧に対応する前記階調アンプ回路の動作を停止させる手段を備えることを特徴とする請求項１〜６のいずれか一項に記載の表示駆動装置。
【請求項８】
複数の走査ライン及び複数の信号ラインの各交点近傍にマトリクス状に配列された複数の表示画素を有する表示パネルと、前記複数の信号ラインの各々に映像信号に基づく表示データに応じた階調電圧を印加する信号側駆動手段と、前記複数の走査ラインに走査駆動信号を順次出力して前記表示画素を順次選択状態に設定する走査側駆動手段と、を備える表示装置において、
前記信号側駆動手段は、所定電圧を前記表示データの階調数に応じた複数の電圧に分圧し、分圧された各電圧を複数の階調電圧として出力する複数の階調アンプ回路と、前記表示データの階調値に応じて前記複数の階調電圧のいずれかを選択し、前記複数の信号ラインの各々に出力する階調電圧選択手段と、前記表示データの階調値に基づいて、前記複数の階調アンプ回路の動作状態を制御する階調アンプ制御手段と、を備え、
前記走査側駆動手段により選択状態に設定された前記表示画素に前記階調電圧が印加されることを特徴とする表示装置。
【請求項９】
前記表示装置は、前記映像信号に基づく表示信号を一時的に記憶し、記憶された表示信号を前記表示データとして前記信号側駆動手段に出力する記憶手段を備えることを特徴とする請求項８に記載の表示装置。
【請求項１０】
前記信号側駆動手段における前記階調アンプ制御手段は、前記表示データの階調値と所定の基準階調値とを比較し、比較結果信号を出力する比較手段と、前記比較結果信号に基づいて、前記階調アンプ回路の電流駆動能力の設定値を変更制御する階調アンプ電源制御手段と、を備えることを特徴とする請求項８または９に記載の表示装置。
【請求項１１】
前記信号側駆動手段における前記比較手段は、前記複数の信号ラインの各々に対する前記表示データの階調値と前記基準階調値とを比較する手段を備えることを特徴とする請求項１０に記載の表示装置。
【請求項１２】
前記信号側駆動手段における前記比較手段は、前記複数の信号ラインに対する前記表示データの階調値の合計値又は前記複数の信号ラインの各々に対する前記表示データの階調値の平均値のいずれかと前記基準階調値とを比較する手段を備えることを特徴とする請求項１０に記載の表示装置。
【請求項１３】
前記信号側駆動手段における前記階調アンプ制御手段は、前記複数の階調アンプ回路における、前記階調電圧選択手段により選択されない前記階調電圧に対応する前記階調アンプ回路の動作を停止させる手段を備えることを特徴とする請求項８〜１２のいずれか一項に記載の表示装置。
【請求項１４】
複数の走査ライン及び複数の信号ラインの各交点近傍にマトリクス状に配列された複数の表示画素を有する表示パネルの前記複数の信号ラインに、表示データに応じた階調電圧を出力する表示駆動装置の駆動制御方法であって、
前記表示データの階調値に応じて、前記複数の階調電圧の何れかを選択して前記複数の信号ラインの各々に出力するステップと、
前記表示データの階調値に基づいて、前記表示データの階調数に応じた複数の階調電圧を出力する複数の階調アンプ回路の動作状態を制御するステップと、
を含むことを特徴とする表示駆動装置の駆動制御方法。
【請求項１５】
前記階調アンプ回路の動作状態を制御するステップは、前記表示データの階調値と所定の基準階調値とを比較するステップと、
前記比較の結果に基づいて、前記階調アンプ回路の電流駆動能力の設定値を変更制御するステップと、
を含むことを特徴とする請求項１４に記載の表示駆動装置の駆動制御方法。
【請求項１６】
前記階調アンプ回路の電流駆動能力の設定値を変更制御するステップは、前記階調アンプ回路に供給するバイアス電流の値を変更制御するステップを含むことを特徴とする請求項１５に記載の表示駆動装置の駆動制御方法。
【請求項１７】
前記表示データの階調値と所定の基準階調値とを比較するステップは、前記複数の信号ラインの各々に対する前記表示データの階調値と前記基準階調値とを比較するステップを含むことを特徴とする請求項１５に記載の表示駆動装置の駆動制御方法。
【請求項１８】
前記表示データの階調値と所定の基準階調値とを比較するステップは、前記複数の信号ラインに対する前記表示データの階調値の合計値又は前記複数の信号ラインの各々に対する前記表示データの階調値の平均値と前記基準階調値とを比較するステップを含むことを特徴とする請求項１５に記載の表示駆動装置の駆動制御方法。
【請求項１９】
前記階調アンプ回路の動作状態を制御するステップは、前記複数の階調電圧の何れかを選択して前記複数の信号ラインの各々に出力するステップにおいて選択されない前記階調電圧に対応する前記階調アンプ回路の動作を停止させるステップを含むことを特徴とする請求項１４〜１８のいずれか一項に記載の表示駆動装置の駆動制御方法。
【発明の詳細な説明】
【技術分野】
【０００１】
本発明は、表示信号に応じた表示信号電圧を表示パネルの各信号ラインに印加して、当該表示パネルの駆動を制御する表示駆動装置、表示装置及びその表示駆動装置の駆動制御方法に関する。
【背景技術】
【０００２】
液晶を駆動させて画像表示する液晶表示装置が知られている。このような液晶表示装置には、液晶表示パネル上に複数の走査線と複数の信号線とをそれぞれ直交に配置し、各交点近傍に液晶画素を配置するアクティブマトリクス方式のものがある。このアクティブマトリクス型液晶表示装置においては、スイッチング素子（例えばＴＦＴ（Thin Film Transistor：薄膜トランジスタ））を介して信号ラインに接続される画素電極（表示画素）と、当該画素電極に対向して配置される共通電極との間に液晶が充填され、２つの電極間にて電場が形成されることにより液晶が駆動される。
【０００３】
図９は、液晶表示装置の要部構成図である。また、図１０は、表示画素の等価回路である。図９に示すように、液晶表示装置は、液晶表示パネル１０、信号ドライバ１２０、走査ドライバ３０等を備えて構成される。
【０００４】
液晶表示パネル１０は、行方向に配設された複数の走査ラインＧと、列方向に配設された複数の信号ラインＳを備え、走査ラインＧと信号ラインＳの各交点付近に図１０に示す表示画素を備える。
【０００５】
図１０に示すように、各表示画素は、薄膜トランジスタ（ＴＦＴ）９１を介して走査ラインＧ及び信号ラインＳに接続された画素電極９２と、画素電極９２に対向する位置に配置された対向電極９３と、画素電極９２と対向電極９３との間に液晶が充填されてなる画素容量９４と、画素容量９４と並列接続され、画素容量９４の印加電圧を保持する補助容量３１とから構成され、画素電極９２と対向電極９３との間に形成される電界により液晶の配列が変化することを用いて、画像表示が実現される。
【０００６】
走査ドライバ３０には、走査ラインＧが接続され、入力される垂直制御信号に基づいて、各走査ラインＧに走査信号を順次印加して選択状態とし、信号ラインＳと交差する位置の表示画素（画素電極）に、信号ドライバ１２０から信号ラインＳを介して供給された階調電圧を印加する。
【０００７】
信号ドライバ１２０には、信号ラインＳが接続され、入力される水平制御信号（クロック信号ＣＬＫ、シフトレジスタ信号ＳＴＲ、ラッチ動作制御信号ＳＴＢ、出力イネーブル信号ＯＥ等）に基づいて、入力される表示データを１行単位で記憶し、該表示データに対応する階調電圧を各信号ラインＳに順次供給する。
【０００８】
具体的には、信号ドライバ１２０はシフトレジスタ２１、データレジスタ２２、ラッチ回路２３、選択回路２４、階調電圧発生回路１２７及び出力バッファ２５等によって構成される。シフトレジスタ２１にはクロック信号ＣＬＫ及びシフトレジスタ信号ＳＴＲが入力され、シフトレジスタ信号ＳＴＲがクロック信号ＣＬＫによって順次シフト動作される。
【０００９】
データレジスタ２２にはＲＧＢ各色の映像信号に応じたａビットの表示データが入力され、シフトレジスタ２１からの出力信号のタイミングで表示データが順次取り込まれる。
【００１０】
ラッチ回路２３にはラッチ動作制御信号ＳＴＢが入力され、データレジスタ２２に取り込まれた表示データがラッチ回路２３に保持されると共に、選択回路２４に出力される。
【００１１】
選択回路２４は、ラッチ回路２３から入力される表示データをデコードし、階調電圧発生回路１２７から入力される複数の階調電圧の中から表示データの階調レベルに対応する階調電圧を選択して出力する。
【００１２】
出力バッファ２５には出力イネーブル信号ＯＥが入力され、選択回路２４により出力された階調電圧を表示データとして液晶表示パネル１０の各信号ラインＳに印加する。
【００１３】
ここで、階調電圧の生成は、例えば特許文献１及び特許文献２に開示されているように、所定の電圧間を抵抗によって分圧し、分圧した電圧をボルテージホロワ回路を有する階調アンプ回路を介して出力する方法が一般的に知られている。図１１は選択回路及び階調電圧発生回路の回路構成の一例を示した図である。階調電圧発生回路１２７は、まず所定の正電圧ＶＳとＧＮＤ間を表示データの階調数（ｎ＝２a）に応じた複数の抵抗Ｒで分圧する。階調アンプＡＭＰ１、ＡＭＰ２、・・、ＡＭＰｎ（以下、総称して「階調アンプＡＭＰ」と言う。）にはアンプ電源制御回路１２７１より所定のバイアス電流が供給され、分圧された電圧を階調電圧として階調電圧印加ラインＡＬ１、ＡＬ２、・・、ＡＬｎ（以下、総称して「階調電圧印加ラインＡＬ」と言う。）に印加する。
【００１４】
選択回路２４は、各信号ラインＳに対応する階調電圧出力ラインＳＬＲ１、ＳＬＧ１、ＳＬＢ１、・・、ＳＬＲｍ、ＳＬＧｍ、ＳＬＢｍ（以下、総称して「階調電圧出力ラインＳＬ」と言う。）と、階調アンプＡＭＰの出力端子に接続された階調電圧印加ラインＡＬとがマトリクス状に配設され、各交差部には選択スイッチＳＷＲ１１、・・、ＳＷＲｎｍ、ＳＷＧ１１、・・、ＳＷＧｎｍ、ＳＷＢ１１、・・、ＳＷＢｎｍ（以下、総称して「選択スイッチＳＷ」を言う。）が接続されている。
【００１５】
デコーダ８４１Ｒ−１、８４１Ｇ−１、８４１Ｂ−１、・・、８４１Ｒ−ｍ、８４１Ｇ−ｍ、８４１Ｂ−ｍ（以下、総称して「デコーダ８４１」と言う。）は、ラッチ回路２３に保持された表示データをデコードして、ＲＧＢ各画素の階調数に応じた階調レベル信号を出力する。各選択スイッチＳＷＲ１１、・・、ＳＷＢｎｍは、デコーダ８４１から出力される階調レベル信号に基づいてオン／オフが制御される。オン時には、階調電圧印加ラインＡＬと階調電圧出力ラインＳＬとが導通されて、階調電圧印加ラインＡＬに印加された階調電圧が階調電圧出力ラインＳＬに印加される。即ち、階調電圧出力ラインＳＬには、選択された階調電圧印加ラインＡＬの階調電圧が階調電圧出力ラインＳＬに出力される。
【特許文献１】特開２００３−１２２３２５号公報
【特許文献２】特開２００４−２１１６３号公報
【発明の開示】
【発明が解決しようとする課題】
【００１６】
ところで、階調電圧発生回路１２７の各階調アンプＡＭＰ１、・・、ＡＭＰｎの電流駆動能力は、アンプ電源制御回路１２７１により、表示データの全階調レベル範囲に対し、信号ラインＳの配線抵抗や画素容量９４等に応じて各階調電圧を安定して供給することができるような一定の値に設定されていた。すなわち、最も高い電流駆動能力を必要とする階調電圧の最高電圧レベルを安定して供給することができる電流駆動能力を有するように設定されていた。しかしながら、表示データの階調レベルに対する階調電圧の電圧レベルが比較的低い時には、階調アンプＡＭＰに必要な電流駆動能力は階調電圧の電圧レベルが高い場合よりも低くてよい。すなわち、階調電圧の電圧レベルが低い時には、階調アンプＡＭＰに必要以上の過剰な電流駆動能力が設定されている状態となっていた。したがって、この過剰な電流駆動能力によって無駄に電力を消費していた。
【００１７】
本発明は以上の点を考慮してなされたものであり、その目的とするところは、消費電力を低減させた表示駆動装置、表示装置及び表示駆動装置の駆動制御方法を提供することである。
【課題を解決するための手段】
【００１８】
以上の課題を解決するために、請求項１に記載の発明の表示駆動装置は、複数の走査ライン及び複数の信号ラインの各交点近傍にマトリクス状に配列された複数の表示画素を有する表示パネルの前記複数の信号ラインに、表示データに応じた階調電圧を出力する表示駆動装置において、所定電圧を前記表示データの階調数に応じた複数の電圧に分圧し、分圧された各電圧を複数の階調電圧として出力する複数の階調アンプ回路と、前記表示データの階調値に応じて前記複数の階調電圧のいずれかを選択し、前記複数の信号ラインの各々に出力する階調電圧選択手段と、前記表示データの階調値に基づいて、前記複数の階調アンプ回路の動作状態を制御する階調アンプ制御手段と、を備えることを特徴とする。
【００１９】
請求項２に記載の発明は、請求項１に記載の表示駆動装置において、前記階調アンプ制御手段は、前記表示データの階調値と所定の基準階調値とを比較し、比較結果信号を出力する比較手段と、前記比較結果信号に基づいて、前記階調アンプ回路の電流駆動能力の設定値を変更制御する階調アンプ電源制御手段と、を備えることを特徴とする。
【００２０】
請求項３に記載の発明は、請求項２に記載の表示駆動装置において、前記階調アンプ電源制御手段は、前記比較手段から出力される前記比較結果信号に基づいて、前記階調アンプ回路に供給するバイアス電流の値を変更制御する手段を備えることを特徴とする。
【００２１】
請求項４に記載の発明は、請求項２に記載の表示駆動装置において、前記比較手段は、前記複数の信号ラインの各々に対する前記表示データの階調値と前記基準階調値とを比較する手段を備えることを特徴とする。
【００２２】
請求項５に記載の発明は、請求項２に記載の表示駆動装置において、前記比較手段は、前記複数の信号ラインに対する前記表示データの階調値の合計値と前記基準階調値とを比較する手段を備えることを特徴とする。
【００２３】
請求項６に記載の発明は、請求項２に記載の表示駆動装置において、前記比較手段は、前記複数の信号ラインの各々に対する前記表示データの階調値の平均値と前記基準階調値とを比較する手段を備えることを特徴とする。
【００２４】
請求項７に記載の発明は、請求項１〜６のいずれか一項に記載の表示駆動装置において、前記階調アンプ制御手段は、前記複数の階調アンプ回路における、前記階調電圧選択手段により選択されない階調電圧に対応する前記階調アンプ回路の動作を停止させる手段を備えることを特徴とする。
【００２５】
請求項８に記載の発明は、複数の走査ライン及び複数の信号ラインの各交点近傍にマトリクス状に配列された複数の表示画素を有する表示パネルと、前記複数の信号ラインの各々に映像信号に基づく表示データに応じた階調電圧を印加する信号側駆動手段と、前記複数の走査ラインに走査駆動信号を順次出力して前記表示画素を順次選択状態に設定する走査側駆動手段と、を備える表示装置において、前記信号側駆動手段は、所定電圧を前記表示データの階調数に応じた複数の電圧に分圧し、分圧された各電圧を複数の階調電圧として出力する複数の階調アンプ回路と、前記表示データの階調値に応じて前記複数の階調電圧のいずれかを選択し、前記複数の信号ラインの各々に出力する階調電圧選択手段と、前記表示データの階調値に基づいて、前記複数の階調アンプ回路の動作状態を制御する階調アンプ制御手段と、を備え、前記走査側駆動手段により選択状態に設定された前記表示画素に前記階調電圧が印加されることを特徴とする。
【００２６】
請求項９に記載の発明は、請求項８に記載の表示装置において、前記表示装置は、前記映像信号に基づく表示信号を一時的に記憶し、記憶された表示信号を前記表示データとして前記信号側駆動手段に出力する記憶手段を備えることを特徴とする。
【００２７】
請求項１０に記載の発明は、請求項８または９に記載の表示装置において、前記信号側駆動手段における前記階調アンプ制御手段は、前記表示データの階調値と所定の基準階調値とを比較し、比較結果信号を出力する比較手段と、前記比較結果信号に基づいて、前記階調アンプ回路の電流駆動能力の設定値を変更制御する階調アンプ電源制御手段と、を備えることを特徴とする。
【００２８】
請求項１１に記載の発明は、請求項１０に記載の表示装置において、前記信号側駆動手段における前記比較手段は、前記複数の信号ラインの各々に対する前記表示データの階調値と前記基準階調値とを比較する手段を備えることを特徴とする。
【００２９】
請求項１２に記載の発明は、請求項１０に記載の表示装置において、前記信号側駆動手段における前記比較手段は、前記複数の信号ラインに対する前記表示データの階調値の合計値又は前記複数の信号ラインの各々に対する前記表示データの階調値の平均値のいずれかと前記基準階調値とを比較する手段を備えることを特徴とする。
【００３０】
請求項１３に記載の発明は、請求項８〜１２のいずれか一項に記載の表示装置において、前記信号側駆動手段における前記階調アンプ制御手段は、前記複数の階調アンプ回路における、前記階調電圧選択手段により選択されない前記階調電圧に対応する前記階調アンプ回路の動作を停止させる手段を備えることを特徴とする。
【００３１】
請求項１４に記載の発明は、複数の走査ライン及び複数の信号ラインの各交点近傍にマトリクス状に配列された複数の表示画素を有する表示パネルの前記複数の信号ラインに、表示データに応じた階調電圧を出力する表示駆動装置の駆動制御方法であって、前記表示データの階調値に応じて、前記複数の階調電圧の何れかを選択して前記複数の信号ラインの各々に出力するステップと、前記表示データの階調値に基づいて、前記表示データの階調数に応じた複数の階調電圧を出力する複数の階調アンプ回路の動作状態を制御するステップと、を含むことを特徴とする。
【００３２】
請求項１５に記載の発明は、請求項１４に記載の表示駆動装置の駆動制御方法において、前記階調アンプ回路の動作状態を制御するステップは、前記表示データの階調値と所定の基準階調値とを比較するステップと、前記比較の結果に基づいて、前記階調アンプ回路の電流駆動能力の設定値を変更制御するステップと、を含むことを特徴とする。
【００３３】
請求項１６に記載の発明は、請求項１５に記載の表示駆動装置の駆動制御方法において、前記階調アンプ回路の電流駆動能力の設定値を変更制御するステップは、前記階調アンプ回路に供給するバイアス電流の値を変更制御するステップを含むことを特徴とする。
【００３４】
請求項１７に記載の発明は、請求項１５に記載の表示駆動装置の駆動制御方法において、前記表示データの階調値と所定の基準階調値とを比較するステップは、前記複数の信号ラインの各々に対する前記表示データの階調値と前記基準階調値とを比較するステップを含むことを特徴とする。
【００３５】
請求項１８に記載の発明は、請求項１５に記載の表示駆動装置の駆動制御方法において、前記表示データの階調値と所定の基準階調値とを比較するステップは、前記複数の信号ラインに対する前記表示データの階調値の合計値又は前記複数の信号ラインの各々に対する前記表示データの階調値の平均値と前記基準階調値とを比較するステップを含むことを特徴とする。
【００３６】
請求項１９に記載の発明は、請求項１４〜１８のいずれか一項に記載の表示駆動装置の駆動制御方法において、前記階調アンプ回路の動作状態を制御するステップは、前記複数の階調電圧の何れかを選択して前記複数の信号ラインの各々に出力するステップにおいて選択されない前記階調電圧に対応する前記階調アンプ回路の動作を停止させるステップを含むことを特徴とする。
【発明の効果】
【００３７】
本発明によれば、表示データの階調値に基づいて、複数の階調電圧を出力する階調アンプ回路の電流駆動能力の設定値を変更制御することにより、階調アンプ回路の電流駆動能力を表示データの階調値に応じた値に設定することができて、階調アンプ回路が過剰な電流駆動能力を有して、無駄に電力を消費することを抑制して、消費電力を低減することができる。また、表示データの階調値に応じて、選択されない出力不要の階調電圧に対応する階調アンプ回路の動作を停止させることにより、消費電力を低減することができる。
【発明を実施するための最良の形態】
【００３８】
〔第１の実施の形態〕
以下、本発明を液晶表示装置に適用した場合の実施の形態を図示例と共に説明する。図１は、本実施の形態における液晶表示装置の構成を示すブロック図である。なお、上述した背景技術における構成と同等の機能及び構成については、同一の符号を付して、その説明を簡略化又は省略する。液晶表示装置１は、液晶表示パネル１０、信号ドライバ（信号側駆動手段）２０、走査ドライバ（走査側駆動手段）３０、ＲＧＢデコーダ４０、メモリ（記憶手段）６０、駆動アンプ７０、ＬＣＤコントローラ８０、電圧発生回路９０等を備えて構成される。
【００３９】
液晶表示パネル１０は、行方向に配設された複数の走査ラインＧと、列方向に配設された複数の信号ラインＳを備え、走査ラインＧと信号ラインＳの各交点付近に図１０に示す表示画素を備える。
【００４０】
信号ドライバ２０には、信号ラインＳが接続され、後述するＬＣＤコントローラ８０から出力される水平制御信号（クロック信号ＣＬＫ、シフトレジスタ信号ＳＴＲ、ラッチ動作制御信号ＳＴＢ、出力イネーブル信号ＯＥ、基準信号ＲＥＦ等）に基づいて、メモリ６０から供給されるＲ（赤）、Ｇ（緑）、Ｂ（青）の各色の表示データを１行単位で記憶し、該表示データに基づいた表示信号を階調電圧として各信号ラインＳに順次供給する。詳細は後述する。
【００４１】
走査ドライバ３０には、走査ラインＧが接続され、ＬＣＤコントローラ８０から出力される垂直制御信号に基づいて、各走査ラインＧに走査信号を順次印加して選択状態とし、信号ラインＳと交差する位置の表示画素（画素電極）に、信号ドライバ２０から信号ラインＳを介して供給された階調電圧を印加する。
【００４２】
ＲＧＢデコーダ４０は、例えば、液晶表示装置１の外部から供給される映像信号（コンポジットビデオ信号）から水平同期信号Ｈ、垂直同期信号Ｖ及びコンポジット同期信号ＣＳＹを抽出して、ＬＣＤコントローラ８０に供給すると共に、映像信号に含まれるＲ、Ｇ、Ｂの各色信号（ＲＧＢ信号：表示信号）を抽出し、メモリ６０に出力する。
【００４３】
メモリ６０は、ＲＡＭ等で構成されており、例えば１フレーム（１画面）分のＲＧＢ信号（表示信号）を一時的に記憶し、記憶されたＲＧＢ信号をａビットの表示データとして信号ドライバ２０に出力する。
【００４４】
駆動アンプ７０は、各表示画素の補助容量３１に接続された補助容量ライン（共通ライン）Ｃ及び対向電極９３に印加されるコモン信号電圧ＶＣＯＭを生成し、ＬＣＤコントローラ８０から出力される極性制御信号ＰＯＬに応じてコモン信号電圧ＶＣＯＭの極性を反転して出力する。
【００４５】
ＬＣＤコントローラ８０は、ＲＧＢデコーダ４０から供給される水平同期信号Ｈ、垂直同期信号Ｖ及びコンポジット同期信号ＣＳＹに基づいて、極性制御信号ＰＯＬ等を生成して、駆動アンプ７０に出力すると共に、水平制御信号や垂直制御信号を生成して、各々信号ドライバ２０及び走査ドライバ３０に出力することにより、所定のタイミングで各表示画素に階調電圧を印加して、液晶表示パネル１０に表示データに基づく所定の画像情報を表示させる制御を行う。
【００４６】
電圧発生回路９０は、液晶表示装置９を構成する各回路に必要な複数の電圧を生成して供給する。例えば、各回路の内部電源電圧ＶＤＤや階調電圧生成のための電圧ＶＳ等が生成され、電圧ＶＳは信号ドライバ２０に供給される。
【００４７】
図２は、本実施の形態における信号ドライバの要部構成図である。なお、背景技術において図９を用いて説明した信号ドライバ１２０と同一の構成要素については同一の符号を付し、説明を省略または簡略化する。信号ドライバ２０は、シフトレジスタ２１、データレジスタ２２、ラッチ回路２３、選択回路２４、比較回路２６、階調電圧発生回路２７及び出力バッファ２５等によって構成される。
【００４８】
比較回路２６は、ラッチ回路２３に保持されて出力される表示データとＬＣＤコントローラ８０から入力される基準信号ＲＥＦとを比較し、比較結果を信号Ａとして階調電圧発生回路２７に出力する。
【００４９】
階調電圧発生回路２７は、電圧ＶＳとＧＮＤ間を表示データの階調数（ｎ＝２a）に応じた複数の抵抗Ｒで分圧して、分圧した電圧を階調アンプＡＭＰを介して階調電圧として出力する。また、例えばＬＣＤコントローラ８０から出力される極性制御信号ＰＯＬに応じて階調電圧が反転される（図示略）。ここで、階調アンプ回路ＡＭＰはボルテージホロワ回路を有して構成される。階調電圧発生回路２７を構成する各階調アンプＡＭＰ１、・・、ＡＭＰｎの電流駆動能力は、アンプ電源制御回路２７１によって設定され、本実施の形態においては、後述するように、階調アンプＡＭＰの電流駆動能力が、比較回路２６より入力される比較結果信号Ａに基づいて変更制御されることを特徴とする。
【００５０】
図３は、本実施の形態における選択回路、比較回路及び階調電圧発生回路の回路構成を示した図である。比較回路２６は、ラッチ回路２３に保持された信号ライン毎の表示データと基準信号ＲＥＦとを比較する比較器１２１Ｒ−１、１２１Ｇ−１、１２１Ｂ−１、・・、１２１Ｒ−ｍ、１２１Ｇ−ｍ、１２１Ｂ−ｍ（以下、総称して「比較器１２１」と言う。）を備える。比較器１２１は入力される表示データの階調レベル（階調値）と基準信号ＲＥＦの示す基準階調レベル（基準階調値）とを比較する。各比較器１２１から出力される比較結果はＯＲ回路２６１に入力される。ＯＲ回路２６１から出力される信号Ａは、階調電圧発生回路２７のアンプ電源制御回路２７１に入力される。
【００５１】
液晶表示パネル１０がノーマリホワイトモードであって、表示データの階調レベルに対し、階調レベルが低い時に階調電圧が高く（黒表示）、階調レベルが高い時に階調電圧が低く（白表示）設定される場合に、例えば、表示データが６ビット（６４階調）であって、基準信号ＲＥＦの示す基準階調レベルが中間の３２階調で、表示データの階調レベルが１６階調の場合、比較器１２１は、入力された表示データの示す階調レベルと基準信号ＲＥＦの示す基準階調レベル（３２階調）とを比較し、表示データの階調レベルが基準階調レベルより低いと判定し、比較結果として“１”を出力する。一方、表示データの階調レベルが４８階調の場合は、比較器１２１は、表示データの階調レベルが基準階調レベルより高いと判定し、比較結果として“０”を出力する。このように、比較器１２１は、入力された表示データの階調レベルが基準階調レベル以下の場合は、比較結果として“１”を出力し、基準階調レベルより高い場合は、比較結果として“０”を出力する。
【００５２】
ＯＲ回路２６１は、各比較器１２１Ｒ−１、・・、１２１Ｂ−ｍから出力される比較結果の何れかが“１”である場合は比較結果信号Ａとして“１”を出力し、各比較器１２１Ｒ−１、・・、１２１Ｂ−ｍから出力される比較結果の全てが“０”の場合は比較結果信号Ａとして“０”を出力する。
【００５３】
階調電圧発生回路２７におけるアンプ電源制御回路２７１は、ＯＲ回路２６１より出力される比較結果信号Ａに応じて、階調アンプＡＭＰの電流駆動能力の設定値を変更制御する機能を備え、ＯＲ回路２６１より比較結果信号Ａとして“０”が入力された場合には、アンプ電源制御回路２７１は、階調アンプＡＭＰの電流駆動能力の設定値を低くし、比較結果信号Ａとして“１”が入力された場合には、階調アンプＡＭＰの電流駆動能力を、上記比較結果信号Ａとして“０”が入力された場合の設定値より高くするように制御する。階調アンプＡＭＰはアンプ電源制御回路２７１によって設定された電流駆動能力に従って、分圧された電圧を階調電圧として階調電圧印加ラインＡＬに出力する。すなわち、比較結果信号Ａとして“０”が入力された場合は、表示データの階調レベルが基準信号ＲＥＦの基準階調レベルより高く、階調電圧が比較的低い場合であって、階調アンプＡＭＰに必要とされる電流駆動能力が比較的低い状態であり、階調アンプＡＭＰの電流駆動能力を比較的低くするように設定する。一方、比較結果信号Ａとして“１”が入力された場合は、表示データの階調レベルが基準信号ＲＥＦの基準階調レベルより低く、階調電圧が比較的高い場合であって、階調アンプＡＭＰに比較的高い電流駆動能力が必要とされる状態であり、階調アンプＡＭＰの電流駆動能力を比較的高くするように設定する。なお、階調アンプＡＭＰの電流駆動能力の切り替えは、例えば、階調アンプＡＭＰの電源から供給するバイアス電流の電流値を変えることによって行う。
【００５４】
このように、本実施の形態においては、基準信号ＲＥＦの基準階調レベルと表示データの階調レベルとを比較し、比較結果に基づいて階調アンプＡＭＰの電流駆動能力の設定値を変更制御し、表示データの階調レベルに応じた階調電圧が比較的低い時は階調アンプＡＭＰの電流駆動能力の設定値を下げ、表示データの階調レベルに応じた階調電圧が比較的高い時は階調アンプＡＭＰの電流駆動能力の設定値を上げるようにして、階調アンプＡＭＰの電流駆動能力を表示データの階調レベルに応じたレベルに設定することができる。これにより、階調アンプＡＭＰが過剰な電流駆動能力を有して、無駄に電力を消費する状態が生じることを抑制して、消費電力を低減することができる。
【００５５】
なお、本実施の形態の液晶表示装置１は、ＲＧＢ信号を一時的に記憶するメモリ６０を備えることとしたが、本発明はこれに限るものではなく、メモリ６０を備えずに、ＲＧＢデコーダ４０から信号ドライバ２０に直接ＲＧＢ信号（表示データ）が出力されるような構成としてもよい。
＜変形例＞
【００５６】
なお、本発明の適用は、上述した実施の形態に限定されるものではなく、本発明の趣旨を逸脱しない範囲で適宜変更可能である。図４は、本実施の形態における選択回路、比較回路及び階調電圧発生回路の変形例を示す回路構成図である。例えば、上述においては、信号ライン毎の表示データの階調レベルと基準信号ＲＥＦの基準階調レベルとを比較することとしたが、図４に示すように、比較回路２８において、１ライン分の信号ライン毎の表示データの階調レベルを加算する加算器２８１を備え、加算器２８１によって加算された１ライン分の表示データの階調レベルの合計値と基準信号ＲＥＦ’の基準階調レベルとを比較することとしてもよい。ここで、基準信号ＲＥＦ’の基準階調レベルの値は、例えば、上記の基準信号ＲＥＦを１ライン分合計した、基準となる合計値（基準合計値）である。
【００５７】
図４において、比較器２８２は、加算器２８１から入力された合計値が基準信号ＲＥＦ’の示す基準合計値以下のときは、比較結果信号Ａ’として“１”を出力し、また、加算器２８１から入力された合計値が基準信号ＲＥＦ’の示す基準合計値より大きいときは、比較結果信号Ａ’として“０”を出力する。アンプ電源制御回路２７１は、図３の場合と同様に、比較器２８２より比較結果信号Ａ’として“０”が入力された場合には、階調アンプＡＭＰの電流駆動能力を低くし、比較結果信号Ａ’として“１”が入力された場合には、階調アンプＡＭＰの電流駆動能力を高くするように切り替える。この場合、比較器を１つにすることができて、比較回路２８の回路規模を削減することができる。
【００５８】
また、上記においては、１ライン分の表示データの階調レベルの合計値と基準階調レベルとを比較することとしたが、１ライン分の表示データの階調レベルの平均値を算出し、平均値と基準階調レベルとを比較することとしてもよい。その場合、基準信号の基準階調レベルは基準となる平均値（基準平均値）である。
【００５９】
〔第２の実施の形態〕
次に、本発明における第２の実施の形態を説明する。上述の第１の実施の形態では、１ライン分の表示データと基準信号ＲＥＦとを比較することとしたが、本発明における第２の実施の形態は、デコーダ８４１より出力される各階調レベル信号に基づいて対応する階調アンプＡＭＰの作動／停止を制御して、消費電力を低減させる構成を備えるものである。なお、本第２の実施の形態における液晶表示装置１は、第１の実施の形態において図１を用いて説明した液晶表示装置１とほぼ同等であり、信号ドライバ２０の構成のみが異なる。
【００６０】
図５は、本実施の形態における信号ドライバの要部構成図である。なお、上述した第１の実施の形態における構成と同等の機能及び構成については、同一の符号を付して、その説明を簡略化又は省略する。信号ドライバ２０Ａは、シフトレジスタ２１、データレジスタ２２、ラッチ回路２３、選択回路２４Ａ、比較回路２６Ａ、階調電圧発生回路２７Ａ及び出力バッファ２５等によって構成される。
【００６１】
比較回路２６Ａは、選択回路２４のデコーダ８４１から出力される各階調レベル信号に基づいて、階調電圧発生回路２７Ａが備える各階調アンプＡＭＰの動作／停止を設定するための信号を出力する。詳細は後述する。
【００６２】
階調電圧発生回路２７Ａは、電圧ＶＳとＧＮＤ間を表示データの階調数に応じた複数の抵抗Ｒで分圧して、分圧した電圧を階調アンプＡＭＰを介して複数の階調電圧として出力する。
【００６３】
図６は、本実施の形態における選択回路、比較回路及び階調電圧発生回路の回路構成の一例を示した図である。比較回路２６Ａは、デコーダ８４１より出力される階調レベル信号が入力されるＯＲ回路５２１、５２２、・・、５２ｎ（以下、総称して「ＯＲ回路５２」と言う。）を有し、各ＯＲ回路５２１、５２２、・・、５２ｎには、各画素の、同一の階調基準電圧を選択する階調レベル信号が入力される。ＯＲ回路５２から出力される信号Ｂ１、Ｂ２、・・、Ｂｎ（以下、総称して「信号Ｂ」と言う。）は階調電圧発生回路２７Ａに出力される。
【００６４】
階調電圧発生回路２７Ａにおいて、アンプ電源制御回路２７１Ａは階調アンプＡＭＰの電流駆動能力を所定レベルに設定するための所定のバイアス電流を供給する。また、アンプ電源制御回路２７１Ａから出力されるバイアス電流の供給を断続するスイッチＳＷ１、ＳＷ２、・・、ＳＷｎ（以下、総称して「スイッチＳＷ」を言う。）を備える。ここで、各スイッチＳＷ１・・、ＳＷｎは通常はオフ状態とされ、比較回路２６ＡのＯＲ回路５２から出力される信号Ｂによってオン／オフが切り替え制御される。
【００６５】
例えば、ＯＲ回路５２におけるＯＲ回路５２１に入力されるｎ個の階調レベル信号が全て“０”である場合、ＯＲ回路５２１から出力される信号Ｂ１は“０”となり、スイッチＳＷ１はオフ状態が維持される。従って、アンプ電源制御回路２７１Ａから供給されるバイアス電流が遮断され、階調アンプＡＭＰ１の動作は停止する。一方、ＯＲ回路５２１に入力されるｎ個の階調レベル信号の内、何れかが“１”である場合、ＯＲ回路５２１から出力される信号Ｂ１は“１”となり、対応するスイッチＳＷ１はオン状態となって階調アンプＡＭＰ１は作動する。
【００６６】
即ち、階調電圧発生回路２７Ａから出力される各階調電圧において、各階調電圧出力ラインＳＬＲ１、・・、ＳＬＢｍの何れにおいても階調レベル信号が“０”で、階調電圧印加ラインＡＬに接続されている選択スイッチＳＷが全てオフとなる場合、その階調電圧を階調電圧印加ラインＡＬに印加する必要がないため、対応する階調アンプＡＭＰの動作を停止させる。また、各階調電圧出力ラインＳＬＲ１、・・、ＳＬＢｍの何れかの階調レベル信号が“１”で、階調電圧印加ラインＡＬに接続されている選択スイッチＳＷの何れかが全てオンとなる場合に、対応する階調電圧の階調アンプＡＭＰを作動させる。
【００６７】
このように、本実施の形態においては、各階調レベル信号に基づいて対応する階調アンプＡＭＰの作動／停止を制御することにより、出力不要な階調電圧の生成を停止させて、液晶表示装置の消費電力を低減することができる。
【００６８】
〔第３の実施の形態〕
次に、本発明における第３の実施の形態を説明する。本第３の実施の形態は、上述の第１の実施の形態と第２の実施の形態を組み合わせた構成を備えるものである。図７は、本実施の形態における信号ドライバの要部構成図である。なお、上述した第１の実施の形態及び第２の実施の形態における構成と同等の機能及び構成については、同一の符号を付して、その説明を簡略化又は省略する。信号ドライバ２０Ｂは、シフトレジスタ２１、データレジスタ２２、ラッチ回路２３、選択回路２４Ａ、出力バッファ２５、第１比較回路２６Ｂ、第２比較回路２８Ｂ及び階調電圧発生回路２７Ｂ等によって構成される。
【００６９】
第１比較回路２６Ｂは、第１の実施の形態における比較回路２６と同様であり、ラッチ回路２３に保持された画素ごとの表示データとＬＣＤコントローラ８０から入力される基準信号ＲＥＦとを比較し、比較結果を階調電圧発生回路２７Ｂに出力する。
【００７０】
選択回路２４Ａは第２の実施の形態における選択回路２４Ａと同様の構成を有する。第２比較回路２８Ｂは、第２の実施の形態における比較回路２６Ａと同様の構成を有し、選択回路２４Ｂのデコーダ８４１から出力される各階調レベル信号に基づいて、階調電圧発生回路２７Ｂが備える階調アンプＡＭＰの動作／停止を設定するための信号を出力する。
【００７１】
階調電圧発生回路２７Ｂは、電圧ＶＳとＧＮＤ間を表示データの階調数に応じた複数の抵抗Ｒで分圧して、分圧した電圧を階調アンプＡＭＰを介して複数の階調電圧として出力する。階調電圧発生回路２７Ｂを構成する階調アンプＡＭＰの電流駆動能力は、第１比較回路２６Ｂより入力される比較結果に基づいて制御され、階調アンプＡＭＰの動作／停止が第２比較回路２８Ｂより入力される信号に基づいて制御される。
【００７２】
図８は、本実施の形態における選択回路、第１比較回路、第２比較回路及び階調電圧発生回路の回路構成の一例を示した図である。まず第１比較回路２６Ｂの比較器１２１によって信号ライン毎の表示データの階調レベルと基準信号ＲＥＦの基準階調レベルとが比較される。各比較器１２１Ｒ−１、・・、１２１Ｂ−ｍから出力される比較結果はＯＲ回路２６１に入力される。ＯＲ回路２６１から出力される比較結果信号Ａは、階調電圧発生回路２７Ｂのアンプ電源制御回路２７１に入力される。
【００７３】
階調アンプＡＭＰの電流駆動能力は、アンプ電源制御回路２７１によって設定され、ＯＲ回路２６１より出力される比較結果信号Ａに基づいて階調アンプＡＭＰの電流駆動能力の切り替え制御が行われる。
【００７４】
また、第２比較回路２８Ｂの各ＯＲ回路５２１、５２２、・・、５２ｎには同一の階調電圧を選択する階調レベル信号が入力され、ＯＲ回路５２から出力される信号Ｂは階調電圧発生回路２７Ａに出力され、信号Ｂに基づいてスイッチＳＷのオン／オフが制御される。
【００７５】
これにより、階調アンプＡＭＰが過剰な電流駆動能力を有して、無駄な電力を消費する状態が生じることを抑制するとともに、出力不要な階調電圧の生成を停止させて、消費電力を一層低減させることができる。
【図面の簡単な説明】
【００７６】
【図１】第１の実施の形態における液晶表示装置の構成を示すブロック図。
【図２】第１の実施の形態における信号ドライバの要部構成図。
【図３】第１の実施の形態における選択回路、比較回路及び階調電圧発生回路の回路構成図。
【図４】第１の実施の形態における選択回路、比較回路及び階調電圧発生回路の変形例を示す回路構成図。
【図５】第２の実施の形態における信号ドライバの要部構成図。
【図６】第２の実施の形態における選択回路、比較回路及び階調電圧発生回路の回路構成図。
【図７】第３の実施の形態における信号ドライバの要部構成図。
【図８】第３の実施の形態における選択回路、比較回路及び階調電圧発生回路の回路構成図。
【図９】従来の液晶表示装置の要部構成図。
【図１０】従来の信号ドライバの要部構成図。
【図１１】従来の選択回路、比較回路及び階調電圧発生回路の回路構成図。
【符号の説明】
【００７７】
１          液晶表示装置
１０          液晶表示パネル
２０          信号ドライバ
２１          シフトレジスタ
２２          データレジスタ
２３          ラッチ回路
２４、２４Ａ、２４Ｂ  選択回路
２５          出力バッファ
２６、２６Ａ  比較回路
２６Ｂ        第１比較回路
２８Ｂ        第２比較回路
２７、２７Ａ、２７Ｂ  階調電圧発生回路
３０          走査ドライバ
４０          ＲＧＢデコーダ
６０          メモリ
７０          駆動アンプ
８０          ＬＣＤコントローラ
９０          電圧発生回路
【図１】
2006126358.tif 000003
【図２】
2006126358.tif 000004
【図３】
2006126358.tif 000005
【図４】
2006126358.tif 000006
【図５】
2006126358.tif 000007
【図６】
2006126358.tif 000008
【図７】
2006126358.tif 000009
【図８】
2006126358.tif 000010
【図９】
2006126358.tif 000011
【図１０】
2006126358.tif 000012
【図１１】
2006126358.tif 000013